(57)【特許請求の範囲】
【請求項１】
一対のレンズと、前記レンズを囲むとともに後端部分が前記レンズの外端から後方へ延びているレンズフレームと、ヘッドバンドとを有し、前記レンズフレームの後端部分に前記ヘッドバンドの長手方向端部を長さ調節可能に止着する手段が形成された水中眼鏡において、
前記手段が前記水中眼鏡の後方から前方へ向かって延びる前記ヘッドバンドの端部を掛け回して該端部を前記後方へ向かうように反転可能な掛回部と、前記レンズフレームの前記後端部分における前記掛回部の直前部分に形成され、前記ヘッドバンドの端部を前記掛回部に掛け回すべく挿通させる挿通孔と、前記掛回部に設けられ、前記水中眼鏡の内側及び外側のいずれかへ向かって延びる突起部とからなり、前記ヘッドバンドの端部には、該ヘッドバンドの内外面間を貫通し、前記突起部を挿抜可能な透孔が前記長手方向に複数形成されていることを特徴とする前記水中眼鏡。
【請求項２】
前記掛回部の前端部分には、掛け回した前記ヘッドバンドに対する滑り止めが形成されている請求項１記載の水中眼鏡。
【請求項３】
前記突起部は、先端がＬ字形を呈している請求項１または２記載の水中眼鏡。
【請求項４】
前記挿通孔の縦方向の寸法が前記ヘッドバンドの端部の幅と同じかそれよりも小さく形成されている請求項１〜３のいずれかに記載の水中眼鏡。
【発明の詳細な説明】
【０００１】
【発明の属する技術分野】
この発明は、遊泳等で使用する水中眼鏡に関する。
【０００２】
【従来の技術】
実公昭６４−４３７２号公報に開示された水中眼鏡は、レンズフレームの後端部分にヘッドバンドを長さ調節可能に固定するためのバックルを有する。ヘッドバンドは、弾性伸縮性の素材で形成され、その端部がバックルに対して複数回折曲されてヘッドバンドどうしが互いに強く密着することで固定されている。
【０００３】
【発明が解決しようとする課題】
前記公知の水中眼鏡では、長期間使用してヘッドバンドの伸縮を繰り返しているうちにヘッドバンドが次第に緩み、ヘッドバンドの長さを再度調整しなければならないことがある。また、ヘッドバンドを固定するためにバンドを複数回折曲するだけでは、ヘッドバンドの長さを正確に調整したり、再現性よく調整することが難しい。
【０００４】
この発明では、ヘッドバンドに緩みを生じることがなく、また長さを再現性よく調整することができる水中眼鏡の提供を課題にしている。
【０００５】
【課題を解決するための手段】
前記課題解決のために、この発明が対象とするのは、一対のレンズと、前記レンズを囲むとともに後端部分が前記レンズの外端から後方へ延びているレンズフレームと、ヘッドバンドとを有し、前記レンズフレームの後端部分に前記ヘッドバンドの長手方向端部を長さ調節可能に止着する手段が形成された水中眼鏡である。
【０００６】
かかる水中眼鏡において、この発明が特徴とするところは、前記手段が前記水中眼鏡の後方から前方へ向かって延びる前記ヘッドバンドの端部を掛け回して該端部を前記後方へ向かうように反転させることができる掛回部と、前記レンズフレームの前記後端部分における前記掛回部の直前部分に形成され、前記ヘッドバンドの端部を前記掛回部に掛け回すべく挿通させる挿通孔と、前記掛回部に設けられ、前記水中眼鏡の内側および外側のいずれかへ向かって延びる突起部とからなり、前記ヘッドバンドの端部には、該ヘッドバンドの内外面間を貫通し、前記突起部を挿抜可能な透孔が前記長手方向に複数形成されていること、にある。
【０００７】
【発明の実施の形態】
添付の図面を参照して、この発明に係る水中眼鏡の詳細を説明すると、以下のとおりである。
【０００８】
図１に斜視図で示された水中眼鏡１は、一対のレンズ２と、嵌合しているレンズ２を囲むレンズフレーム３と、一対のレンズフレーム３の内端部どうしを連結する鼻ベルト４と、ヘッドバンド６とを有し、レンズフレーム３の内側にはクッションパッド７が取り付けられている。レンズ２の外端部から後方へ延びるレンズフレーム３の後端部分５には、ヘッドバンド６を止着するための手段８が形成されている。この手段８は、後方から延びたヘッドバンド６の長手方向端部９を掛け回して後方へ向かって延びるように反転させることができる掛回部１１と、掛回部１１に設けられ、水中眼鏡１の外側へ向かって延びる突起部１２と、掛回部１１の直前に形成された挿通孔１３とを有する。好ましい挿通孔１３の縦方向の寸法は、ヘッドバンド端部９の幅と同じか、それよりも小さく形成されている。ヘッドバンド６は、内面１６と外面１７とを有し、端部９には内外面１６，１７間を貫通する透孔１８がバンド６の長手方向に複数形成されている。
【０００９】
図２は、図１のＩＩ−ＩＩ線矢視図であって、一部分が破断して示されている。レンズフレーム３の後端部分５では、掛回部１１の後方に掛回部１１と平行する支柱１９が形成され、掛回部１１と支柱１９との間に第２のヘッドバンド挿通孔２２が形成されている。水中眼鏡１の後方から前方へ向かって延びるヘッドバンド６の端部９は、まず第２挿通孔２２に通され、さらに挿通孔１３に通されるとともに後方へ向くように反転させられた後に、その反転部分に形成されている透孔１８のいずれかに対して突起部１２が挿入される。好ましいヘッドバンド６は弾性伸縮性のものであって突起部１２の挿入は容易であるが、挿入した後の突起部１２は先端部分がＬ字形を呈しているのでバンド６から簡単に抜けることがない。突起部１２は、レンズフレーム３の上下方向または前後方向に複数設け、ヘッドバンド６にはそれらの突起１２に対応する透孔１８を設けることができる。
【００１０】
ヘッドバンド６は、複数の透孔１８のうちの適宜のものに対して突起部１２を挿入することで長さを調整することができる。水中眼鏡１を着用したときのヘッドバンド６では、図２の矢印Ｙ方向への張力が作用する。しかし、ヘッドバンド６が掛回部１１の前端部分２６に圧接した状態で折曲されていることによって、その張力はヘッドバンド６の反転している部分には及び難い。それゆえにまた、突起部１２が挿入されている透孔１８の周囲にその張力が集中的に作用して、該透孔１８の近傍でヘッドバンド６が損傷するということもない。ただし、そのような損傷が懸念されるときには、ヘッドバンド６の厚さを透孔１８の周囲だけ特に厚くすることができる。好ましい掛回部１１では、その前端部分２６が図示例のように鋭角に形成される。さらに好ましい掛回部１１では、その前方部分２６に鋸歯状の起伏２９がヘッドバンドの滑り止めとして形成され（図４参照）、ヘッドバンド６がＹ方向へ強く引張られると、その起伏２９がヘッドバンド６にくい込むように作用する。さらにはまた、挿通孔１３の縦方向の寸法がヘッドバンド６の幅と同じであるかそれよりも小さく形成されていることによって、ヘッドバンド６が引張られると挿通孔１３の周囲を擦り、ヘッドバンド６の反転部分に及ぶ張力の大きさが減殺される。ヘッドバンド６は、第２挿通孔２２を通過するときに図示例のように屈曲しながらレンズフレーム３に圧接しているから、そのことによっても水中眼鏡１着用時の張力がヘッドバンド６の反転部分には及びにくくなる。
【００１１】
このように形成された水中眼鏡１では、ヘッドバンド６の長さが常に一定であることに加え、ヘッドバンド６を止着部８から一度外しても、それを元の長さに戻すことが容易である。
【００１２】
図３は、この発明の実施態様の一例を示す図２と同様の図面である。この水中眼鏡１では、掛回部１１に設けられた突起部１２が水中眼鏡１の内側へ向かって延びている。後方から延びたヘッドバンド端部９は、透孔１８に突起部１２が挿入された後に掛回部１１に掛け回され、さらに第２挿通孔２２に通される。突起部１２は、その基端部分の径に比べて先端部分の径が大きく形成されており、ヘッドバンド６からは簡単に抜けることがない。水中眼鏡１は、内側へ向かって延びる突起部１２の他に、外側へ向かって延びる突起部１２を併せ持つこともできる。
【００１３】
図４は、この発明の実施態様の一例を示すレンズフレーム後端部分５の斜視図である。この場合の水中眼鏡１では、掛回部１１の前端部分２６に滑り止めの起伏２９が形成され、突起部１２が掛回部１１ではなく、支柱１９に形成されている。かような水中眼鏡１では、ヘッドバンド端部９を挿通孔１３に通してから反転させてもよいし、挿通孔１３ではなくて第２挿通孔２２に通してから反転させてもよい。ヘッドバンド端部９を第２挿通孔２２に通して反転させる場合は、支柱１９が掛回部として機能する。ヘッドバンド６の長さは、ヘッドバンド６における透孔１８の選び方と、レンズフレーム後端部分５における挿通孔１３，２２の選び方とで調整することができる。
【００１４】
この発明では、レンズフレーム後端部分５を前後に２分割できるように作ることができ、そのときのヘッドバンド６を止着するための手段８は、分割したときに得られる後方の部材に形成される。この発明は、レンズフレーム３が、図示例と異なり、レンズ２と一体的に成形されている水中眼鏡で実施することもできる。また、この発明のレンズフレーム３は、レンズ２の周囲全体ではなくて、一部分だけを囲むものであってもよい。左右のレンズフレーム３または左右のレンズ２が一体的に成形された水中眼鏡１では、鼻ベルト４が不要になる。
【００１５】
【発明の効果】
この発明に係る水中眼鏡では、ヘッドバンドの端部をレンズフレームの後端部分に形成された掛回部に掛け回し、掛回部に設けられた突起部をヘッドバンドの透孔へ挿入するようにしたから、水中眼鏡に取り付けたヘッドバンドに緩みを生じることがない。また、水中眼鏡から外したヘッドバンドは、元の長さに戻すことが容易である。
【図面の簡単な説明】
【図１】  水中眼鏡の斜視図。
【図２】  図１のＩＩ−ＩＩ線部分破断矢視図。
【図３】  実施態様の一例を示す図２と同様の図面。
【図４】  実施態様の他の一例を示すレンズフレームの部分斜視図。
【符号の説明】
１      水中眼鏡
２      レンズ
３      レンズフレーム
５      後端部分
６      ヘッドバンド
８      止着部
１１      掛回部
１２      突起部
１８      透孔
【図１】
0003749823.tif 000002
【図２】
0003749823.tif 000003
【図３】
0003749823.tif 000004
【図４】
0003749823.tif 000005